(57)【要約】【課題】プロジェクターの台形歪を補正する補正量を設定する補正量設定スイッチが電源オフ中に操作されたとき、電源オン時に報知し、元の設定位置に容易に戻すことができるプロジェクター、及びプロジェクターの制御方法を提供する。【解決手段】光源から射出された光を画像情報に応じて変調して投写面に投写する画像投写手段１０と、投写面に投写された投写画像の台形歪を補正する補正量を多段階に設定する補正量設定スイッチ２６とを備えたプロジェクターであって、プロジェクター１の電源がオンされたときの補正量設定スイッチ２６の設定位置２６ａと、プロジェクター１の電源がオンされる以前の動作時の補正量設定スイッチ２６の保存設定位置２１ａと、が異なる場合に、補正量設定スイッチ２６の設定位置２６ａが異なることを使用者に報知する。【選択図】図２
2013243445.tif 000002
【特許請求の範囲】
【請求項１】
プロジェクターであって、
光源から射出された光を画像情報に応じて変調して投写面に投写する画像投写手段と、
前記投写面に投写された投写画像の台形歪を補正する補正量を多段階に設定する補正量設定スイッチと、
を備え、
前記プロジェクターの電源がオンされたときの前記補正量設定スイッチの設定位置と、前記プロジェクターの電源がオンされる以前の動作時の前記補正量設定スイッチの設定位置と、が異なる場合に、前記補正量設定スイッチの設定位置が異なることを使用者に報知することを特徴とする、プロジェクター。
【請求項２】
請求項１に記載のプロジェクターであって、
前記プロジェクターの電源がオンされたときに、前記プロジェクターの電源がオンされたときの前記補正量設定スイッチの設定位置と、前記プロジェクターの電源がオンされる以前の動作時の前記補正量設定スイッチの設定位置と、が異なる場合に、前記画像投写手段が前記補正量設定スイッチの設定位置が異なることを示す画像を投写する、
ことを特徴とする、プロジェクター。
【請求項３】
請求項１または２に記載のプロジェクターであって、
前記プロジェクターの電源がオンされたときに、前記プロジェクターの電源がオンされたときの前記補正量設定スイッチの設定位置と、前記プロジェクターの電源がオンされる以前の動作時の前記補正量設定スイッチの設定位置と、が異なる場合に、前記画像投写手段が前記補正量設定スイッチにおける、前記プロジェクターが電源オンされる以前の動作時、および前記プロジェクターの電源がオンされたときの設定位置とを示す画像を投写する、
ことを特徴とする、プロジェクター。
【請求項４】
請求項２または３に記載のプロジェクターであって、
前記プロジェクターの電源がオンされたときに、前記プロジェクターの電源がオンされたときの前記補正量設定スイッチの設定位置と、前記プロジェクターの電源がオンされる以前の動作時の前記補正量設定スイッチの設定位置と、が異なる場合に、前記プロジェクターの電源がオンされたときの前記補正量設定スイッチの設定位置に基づく台形歪補正を実行するか否かを使用者に選択されるための確認メッセージを投写する、
ことを特徴とする、プロジェクター。
【請求項５】
請求項１から４のいずれか一項に記載のプロジェクターであって、
当該プロジェクターの電源がオンされたときに、前記プロジェクターの電源がオンされる以前の動作時の前記補正量設定スイッチの設定位置に基づく台形歪の補正を行う、
ことを特徴とする、プロジェクター。
【請求項６】
請求項１から５のいずれか一項に記載のプロジェクターであって、
前記補正量設定スイッチの設定位置に基づき、前記投写画像の台形歪を補正する台形歪補正手段と、
前記補正量設定スイッチの設定位置を記憶する記憶手段と、
当該プロジェクターの入力操作を受け付ける入力操作手段と、
当該プロジェクターの動作を制御する制御手段と、
をさらに備え、
前記制御手段は、前記入力操作手段が当該プロジェクターの電源オン操作を受け付けたとき、前記補正量設定スイッチの設定位置と、前記プロジェクターの電源がオンされる以前の動作時に前記記憶手段に記憶された設定位置と、が異なる場合に、前記画像投写手段により、前記補正量設定スイッチの設定位置が異なることを示す画像を投写させる、
ことを特徴とする、プロジェクター。
【請求項７】
光源から射出された光を画像情報に応じて変調して投写面に投写する画像投写手段と、
前記投写面に投写された投写画像の台形歪を補正する補正量を多段階に設定する補正量設定スイッチと、
を備えたプロジェクターの制御方法であって、
当該プロジェクターの電源がオンされたときに、前記プロジェクターの電源がオンされたときの前記補正量設定スイッチの設定位置と、前記プロジェクターの電源がオンされる以前の動作時の前記補正量設定スイッチの設定位置と、が異なる場合に、前記補正量設定スイッチの設定位置が異なることを使用者に報知するステップを有することを特徴とする、プロジェクターの制御方法。
【発明の詳細な説明】
【技術分野】
【０００１】
本発明は、画像を投写するプロジェクター、及びプロジェクターの制御方法に関する。
【背景技術】
【０００２】
多数の画素がマトリックス状に形成された光変調装置によって画像を形成し、この画像をスクリーン等に投写するプロジェクターにおいて、スクリーンに対してプロジェクターを傾けた状態で投写（あおり投写）した場合に生じる投写画像の台形歪を補正可能なプロジェクターが知られている。このようなプロジェクターでは、光変調装置で画像を形成する際に、投写画像の台形歪を相殺するように補正した画像を形成することによって、投写画像を正規の形状（矩形）で表示することが可能となっている。
【０００３】
例えば、スクリーンに対して左方向から右方向へ向けて斜め投写を行った場合の投写画像は、右辺が左辺よりも長い台形状になってしまうため、光変調装置で画像を形成する際には、右側ほど多くの画素を間引いて、右辺が左辺よりも短い台形状の画像を形成することにより、投写画像を矩形に補正することができる。また、台形状の画像形成時に垂直画素ラインを間引き、画像の幅を縮小することで、補正後の投写画像の縦横比を維持することができる（以下、この補正を台形歪補正と言う）。
【０００４】
特許文献１には、角度設定回転つまみにより、台形歪補正を行うプロジェクターが開示されている。このプロジェクターによれば、角度設定回転つまみのつまみ位置をスクリーンと平行に合わせることで、台形歪補正を行うことができる。
【先行技術文献】
【特許文献】
【０００５】
【特許文献１】特開２００３−９０３８号公報
【発明の概要】
【発明が解決しようとする課題】
【０００６】
しかしながら、特許文献１のプロジェクターのように可動式の角度設定回転つまみを使って台形歪補正を行う方式の場合、電源オフ状態でも角度設定回転つまみの操作ができてしまう。つまり、角度設定回転つまみにより台形歪補正を行った後、電源オフ時に角度設定回転つまみが操作された場合、次に電源オンしたときに、前回使用したときと角度設定回転つまみの位置が異なっているために、再度台形歪補正操作を行わなければならないという問題があった。
【課題を解決するための手段】
【０００７】
本発明は、上述の課題の少なくとも一部を解決するためになされたものであり、以下の形態または適用例として実現することが可能である。
【０００８】
［適用例１］本適用例に係るプロジェクターは、光源から射出された光を画像情報に応じて変調して投写面に投写する画像投写手段と、前記投写面に投写された投写画像の台形歪を補正する補正量を多段階に設定する補正量設定スイッチと、を備え、前記プロジェクターの電源がオンされたときの前記補正量設定スイッチの設定位置と、前記プロジェクターの電源がオンされる以前の動作時の前記補正量設定スイッチの設定位置と、が異なる場合に、前記補正量設定スイッチの設定位置が異なることを使用者に報知することを特徴とする。
【０００９】
本適用例によれば、プロジェクターの電源をオンしたとき、台形歪補正量を設定する補正量設定スイッチの設定位置が、電源オンされる以前の動作時、つまり最後に使用したときの設定位置と異なる場合に報知するので、プロジェクターを電源オフしていたとき、補正量設定スイッチが操作されたことがユーザー（使用者）にわかる、これによって、補正量設定スイッチの操作位置を直す必要があることをユーザーに知らせるとともに、電源オフ時に操作されないように注意を促すことが可能となる。
【００１０】
［適用例２］上記適用例に記載のプロジェクターにおいて、前記プロジェクターの電源がオンされたときに、前記プロジェクターの電源がオンされたときの前記補正量設定スイッチの設定位置と、前記プロジェクターの電源がオンされる以前の動作時の前記補正量設定スイッチの設定位置と、が異なる場合に、前記画像投写手段が前記補正量設定スイッチの設定位置が異なることを示す画像を投写する、ことを特徴とする。
【００１１】
本適用例によれば、プロジェクターの電源をオンしたとき、台形歪補正量を設定する補正量設定スイッチの設定位置が、電源オンされる以前の動作時、つまり最後に使用したときの設定位置と異なる場合に、投写画像により、ユーザーに知らせることが可能となる。
【００１２】
［適用例３］上記適用例に記載のプロジェクターにおいて、前記プロジェクターの電源がオンされたときに、前記プロジェクターの電源がオンされたときの前記補正量設定スイッチの設定位置と、前記プロジェクターの電源がオンされる以前の動作時の前記補正量設定スイッチの設定位置と、が異なる場合に、前記画像投写手段が前記補正量設定スイッチにおける、前記プロジェクターが電源オンされる以前の動作時、および前記プロジェクターの電源がオンされたときの設定位置とを示す画像を投写する、ことを特徴とする。
【００１３】
本適用例によれば、プロジェクターの電源をオンしたとき、台形歪補正量を設定する補正量設定スイッチの設定位置が、電源オンされる以前の動作時、つまり最後に使用したときの設定位置と異なる場合に、それぞれの設定位置を示す画像が投写される。これによって、補正量設定スイッチの操作位置を前回使用していたときの場所に戻す場合、画面を見ながらどの位置に移動すればよいか容易に確認することが可能となる。
【００１４】
［適用例４］上記適用例２または３に記載のプロジェクターにおいて、前記プロジェクターの電源がオンされたときに、前記プロジェクターの電源がオンされたときの前記補正量設定スイッチの設定位置と、前記プロジェクターの電源がオンされる以前の動作時の前記補正量設定スイッチの設定位置と、が異なる場合に、前記プロジェクターの電源がオンされたときの前記補正量設定スイッチの設定位置に基づく台形歪補正を実行するか否かを使用者に選択されるための確認メッセージを投写する、ことを特徴とする。
【００１５】
本適用例によれば、プロジェクターの電源をオンしたとき、台形歪補正量を設定する補正量設定スイッチの設定位置が、電源オンされる以前の動作時、つまり最後に使用したときの設定位置と異なる場合に、電源がオンされたときの補正量設定スイッチの位置で台形歪補正を実行するか否かをユーザーに選択させることができるので、設置場所が変更されたなどの場合に、現在の補正量設定スイッチの設定位置に基づく補正量で台形歪補正を直ちに実行させることが可能となる。
【００１６】
［適用例５］上記適用例に記載のプロジェクターにおいて、当該プロジェクターの電源がオンされたときに、前記プロジェクターの電源がオンされる以前の動作時の前記補正量設定スイッチの設定位置に基づく台形歪の補正を行う、ことを特徴とする。
【００１７】
本適用例によれば、プロジェクターの電源をオンしたとき、台形歪補正量を設定する補正量設定スイッチの設定位置が、電源オンされる以前の動作時、つまり最後に使用したときの設定位置と異なる場合に、電源がオンされたときの補正量設定スイッチの位置でなく、前回使用していたときの補正量設定スイッチの設定位置に基づく補正量で台形歪補正を実行させることができるので、誤って電源オフ中に補正量設定スイッチが操作された場合など、前回使用時の補正量のまま、画像を投写させることが可能となる。
【００１８】
［適用例６］上記適用例に記載のプロジェクターにおいて、前記補正量設定スイッチの設定位置に基づき、前記投写画像の台形歪を補正する台形歪補正手段と、前記補正量設定スイッチの設定位置を記憶する記憶手段と、当該プロジェクターの入力操作を受け付ける入力操作手段と、当該プロジェクターの動作を制御する制御手段と、をさらに備え、前記制御手段は、前記入力操作手段が当該プロジェクターの電源オン操作を受け付けたとき、前記補正量設定スイッチの設定位置と、前記プロジェクターの電源がオンされる以前の動作時に前記記憶手段に記憶された設定位置と、が異なる場合に、前記画像投写手段により、前記補正量設定スイッチの設定位置が異なることを示す画像を投写させる、ことを特徴とする。
【００１９】
本適用例によれば、プロジェクターの電源をオンしたとき、台形歪補正量を設定する補正量設定スイッチの設定位置が、電源オンされる以前の動作時、つまり最後に使用したときの設定位置と異なる場合に設定位置が異なることを示す画像を投写するので、プロジェクターを電源オフしていたとき、補正量設定スイッチが操作され、補正量設定スイッチの操作位置を直す必要があることをユーザーに知らせるとともに、電源オフ時に操作されないように注意を促すことが可能となる。
【００２０】
［適用例７］本適用例に係るプロジェクターの制御方法は、光源から射出された光を画像情報に応じて変調して投写面に投写する画像投写手段と、前記投写面に投写された投写画像の台形歪を補正する補正量を多段階に設定する補正量設定スイッチと、を備えたプロジェクターの制御方法であって、当該プロジェクターの電源がオンされたときに、前記プロジェクターの電源がオンされたときの前記補正量設定スイッチの設定位置と前記プロジェクターの電源がオンされる以前の動作時の前記補正量設定スイッチの設定位置とが異なる場合に、前記補正量設定スイッチの設定位置が異なることを使用者に報知するステップを有することを特徴とする。
【００２１】
本適用例によれば、プロジェクターの電源をオンしたとき、台形歪補正量を設定する補正量設定スイッチの設定位置が、電源オンされる以前の動作時、つまり最後に使用したときの設定位置と異なる場合に設定位置が異なることを報知するので、プロジェクターを電源オフしていたとき、補正量設定スイッチが操作され、補正量設定スイッチの操作位置を直す必要があることをユーザーに知らせるとともに、電源オフ時に操作されないように注意を促すことが可能となる。
【図面の簡単な説明】
【００２２】
【図１】プロジェクターの斜視図。
【図２】プロジェクターの回路構成を示すブロック図。
【図３】液晶ライトバルブを光入射面側から見た正面図。
【図４】台形歪を説明するための図であり、（ａ）は、液晶ライトバルブを光入射面側から見た正面図、（ｂ）は、プロジェクターがスクリーンに垂直に投写する様子を示す上面図、（ｃ）は、スクリーンの投写画像を示す正面図、（ｄ）は、プロジェクターであおり投写をする様子を示す上面図、（ｅ）は、スクリーンの投写画像を示す正面図。
【図５】台形歪補正を説明するための説明図であり、（ａ）は、液晶ライトバルブを光入射面側から見た正面図、（ｂ）は、あおり投写を行う場合の投写画像を示す正面図。
【図６】プロジェクターが電源オンするときの動作を示すフローチャート。
【図７】プロジェクターが動作中に補正量設定スイッチの操作を検出したときの動作を示すフローチャート。
【図８】プロジェクターが電源オンしたときの補正量設定スイッチの設定位置が前回動作時の設定位置と異なった場合に報知する画面を示す図。
【発明を実施するための形態】
【００２３】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００２４】
（第１実施形態）
図１は、本実施形態のプロジェクター１の斜視図である。図１に示すように、プロジェクター１は、上面２ｔ、前面２ｆなどを有する筐体２によって装置本体が覆われた構成となっている。なお、本実施形態においては、プロジェクター１に対して、投写方向である前面２ｆ方向を前方として説明する。
【００２５】
筐体２の上面２ｔには、ユーザー（使用者）により入力操作が行われる複数の操作キーを備えた入力操作手段２３、台形歪補正量を設定するためのスライド式の補正量設定スイッチ２６、プロジェクター１の動作状態を報知する報知手段２８が備えられている。
筐体２の前面２ｆには、開口部３が形成されており、開口部３の内側には、前方に向かって画像光を投写する投写レンズ１３が備えられている。
【００２６】
図２は、本実施形態のプロジェクター１の回路構成を示すブロック図である。
図２に示すように、プロジェクター１は、画像投写手段１０、台形歪補正手段１５、ＯＳＤ処理手段１６、画像信号処理手段１７、画像信号入力手段１８、制御手段２０、記憶手段２１、入力操作手段２３、光源制御手段２５、補正量設定スイッチ２６、報知手段２８、電源端子３０、電源部３１等で構成されており、これらは筐体２の外面、及び内部に収容されている。
【００２７】
画像投写手段１０は、光源１１、光変調装置としての３つの液晶ライトバルブ１２（１２Ｒ，１２Ｇ，１２Ｂ）、投写光学系としての投写レンズ１３、液晶駆動手段１４等を含んでいる。画像投写手段１０は、光源１１から射出された光を、画像情報に応じて液晶ライトバルブ１２Ｒ，１２Ｇ，１２Ｂで変調し、投写レンズ１３から投写することによってスクリーンＳＣ等の投写面に投写画像を表示する。
【００２８】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれの色光成分に対応する液晶ライトバルブ１２Ｒ，１２Ｇ，１２Ｂに入射する。
【００２９】
図３は、液晶ライトバルブ１２Ｒ，１２Ｇ，１２Ｂを光入射面側から見た図である。液晶ライトバルブ１２，１２Ｇ，１２Ｂは、一対の透明基板間に液晶が封入された液晶パネル等によって構成される。図３に示すように、液晶ライトバルブ１２Ｒ，１２Ｇ，１２Ｂの各透明基板は、矩形の領域（画素領域１２ａ）内において、複数の微小領域（画素１２ｐ）毎に、駆動電圧を印加可能な透明電極（画素電極）が、マトリックス状に形成されている。
【００３０】
液晶駆動手段１４が、入力される画像情報に応じた駆動電圧を各画素１２ｐに印加すると、各画素１２ｐは、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素１２ｐ毎に合成されてカラーの画像光となった後、投写レンズ１３によってスクリーンＳＣ等に拡大投写され投写画像となる。
【００３１】
本実施形態では、光源として光源ランプ１１ａを用いて投写するプロジェクター１を例示したが、本発明は、光源としてＬＥＤ（Light emitting diode）光源やレーザー光源などを用いて投写するプロジェクターにも適用することができる。
【００３２】
なお、本実施形態では、画像投写手段１０は、光源１１、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００３３】
図２に戻り、制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
【００３４】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。記憶手段２１には、電源がオンされる以前の動作時の補正量設定スイッチ２６の設定位置を示す保存設定位置２１ａが記憶される。
【００３５】
入力操作手段２３は、ユーザーがプロジェクター１に対して各種指示を行うための複数の操作キーを筐体２の外装部に備えている。入力操作手段２３が備える操作キーとしては、電源のオン・オフを交互に切り替えるための電源キーや、画像信号入力手段１８に入力される複数の画像入力端子を切り替えるための入力切替キー、各種設定を行うための設定メニューを重畳表示させるメニューキー、メニューからユーザーが設定項目を選択するカーソルキー、各種設定を決定するための決定キー、設定中の画面を戻すためのエスケープキー等がある。
【００３６】
ユーザーが入力操作手段２３の各種操作キーを操作すると、入力操作手段２３は、ユーザーの操作内容に応じた操作信号を制御手段２０に出力する。
なお、入力操作手段２３は、リモートコントローラー（リモコン）信号受信手段（図示せず）と遠隔操作が可能なリモートコントローラー（図示せず）を有した構成としてもよい。この場合、リモートコントローラーは、使用者の操作内容に応じた赤外線等の操作信号を発信し、リモコン信号受信手段がこれを受信して制御情報として制御手段２０に伝達する。
【００３７】
画像信号入力手段１８は、上述したように複数の画像入力端子を備えており、各画像入力端子には、ビデオ再生装置やパーソナルコンピューター等の外部機器から、図示しないケーブル、又は通信機器などを介した画像信号（画像情報ともいう）が入力される。
【００３８】
画像信号処理手段１７は、画像信号入力手段１８から入力される画像情報を、液晶ライトバルブ１２Ｒ，１２Ｇ，１２Ｂの各画素の階調を表す画像情報に変換する。ここで、変換された画像情報は、赤色光（Ｒ），緑色光（Ｇ），青色光（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３９】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００４０】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、台形歪補正手段１５に出力される。
なお、制御手段２０からＯＳＤ画像を重畳する旨の指示がない場合には、ＯＳＤ処理手段１６は、画像信号処理手段１７から入力される画像情報を、そのまま台形歪補正手段１５に出力する。
【００４１】
補正量設定スイッチ２６は、台形歪補正量を多段階に設定するスイッチであり、機械式または光学式などで構成され、制御手段２０はユーザーによって設定された設定位置２６ａに基づく補正量で台形歪補正を台形歪補正手段１５に実行させる。
【００４２】
台形歪補正手段１５は、スクリーンＳＣに対してプロジェクター１を傾けた状態で画像を投写（あおり投写）する場合に、投写画像が傾斜方向（あおり方向）に拡大してしまう歪（台形歪）を抑制するために、入力される画像情報としての画像データの補正（台形歪補正）を行う。
補正量設定スイッチ２６の設定位置２６ａに基づく台形歪補正指示の情報に基づいて、制御手段２０は、台形歪補正手段１５に対して台形歪補正の実施を指示し、台形歪補正手段１５は台形歪補正を実施する。
【００４３】
台形歪補正とは、画像データから画素値の間引きを行って、傾斜方向に向かうほど投写画像を縮小させるものであり、台形歪補正手段１５は、補正後の画像データを液晶駆動手段１４に出力する。なお、台形歪補正を行わない場合には、ＯＳＤ処理手段１６から出力された画像データが、そのまま台形歪補正手段１５より液晶駆動手段１４に出力される。
液晶駆動手段１４が、入力された画像データ、即ち画素１２ｐ毎の画素値に従って液晶ライトバルブ１２Ｒ，１２Ｇ，１２Ｂを駆動すると、画像データに応じた投写画像がスクリーンＳＣに投写される。
【００４４】
光源制御手段２５は、制御手段２０の指示に基づいて、光源１１に対する電力の供給と停止とを制御し、光源１１の点灯、及び消灯を切り替える。
【００４５】
報知手段２８は、ＬＥＤやブザー等で構成され、プロジェクター１の各種動作状態を報知するものであり、プロジェクター１が電源オンされたときの補正量設定スイッチ２６の設定位置２６ａが、記憶手段２１に保存された保存設定位置２１ａと異なる場合に報知する。
なお、画像投写手段１０も、プロジェクター１が電源オンしたときに補正量設定スイッチ２６の設定位置が記憶手段２１に保存された保存設定位置２１ａと異なる旨の画像を投写することにより、報知手段として機能する。
【００４６】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４７】
次に、本実施形態の台形歪補正について、図４を用いて説明する。
図４は、台形歪を説明するための図であり、画像データに対して台形歪補正を施していない状態を示す図である。ここで、図４（ａ）は、液晶ライトバルブ１２Ｒ，１２Ｇ，１２Ｂを光入射面側から見た正面図であり、図４（ｂ）は、プロジェクター１がスクリーンに対し垂直方向に投写を行う様子を示す上面図、図４（ｃ）は、そのときにスクリーンＳＣに表示される投写画像を示す正面図である。また、図４（ｄ）は、プロジェクター１を右方向に傾けた状態で投写（あおり投写）する様子を示す上面図であり、同図（ｅ）は、そのときにスクリーンＳＣに表示される投写画像を示す正面図である。
【００４８】
なお、図４（ａ）において、液晶ライトバルブ１２Ｒ，１２Ｇ，１２Ｂに向かって左右方向（水平方向の左右）を±ｘ方向、上下方向（垂直方向の上下）を±ｙ方向とし、図４（ｃ）及び（ｅ）において、スクリーンＳＣに向かって左右方向（水平方向の左右）を±Ｘ方向、上下方向（垂直方向の上下）を±Ｙ方向とする。また図４（ｂ）及び（ｄ）において、プロジェクター１よりスクリーンに投写する方向を±Ｚ方向とする。ここで、スクリーンＳＣのＸ方向、及びＹ方向は、それぞれ液晶ライトバルブ１２Ｒ，１２Ｇ，１２Ｂのｘ方向、及びｙ方向に対応するものであり、例えば、画素領域１２ａの右上（＋ｘ，＋ｙ側）の画素を透過した光は、スクリーンＳＣの右上（＋Ｘ，＋Ｙ側）に投写される。
【００４９】
図５は、本実施形態の台形歪補正を説明するための説明図であり、図５（ａ）は、液晶ライトバルブ１２（１２Ｒ，１２Ｇ，１２Ｂ）を光入射面側から見た正面図、図５（ｂ）は、あおり投写を行う場合にスクリーンＳＣに表示される投写画像を示す正面図である。
【００５０】
また、図４、及び図５において、画素領域１２ａや投写画像Ｇａ内に示した格子状の模様は、画素領域１２ａに形成された画像と、スクリーンＳＣに投写された投写画像Ｇａとの対応を示すために補助的に付加した線であり、実際にこのような模様を表示することを意味するものではない。
【００５１】
図４（ａ）に示すように、台形歪補正を行わない場合には、液晶ライトバルブ１２Ｒ，１２Ｇ，１２Ｂは、台形歪補正手段１５から入力される画像データに基づいた画像（入力画像Ｇｉ）を画素領域１２ａの全体で形成する。つまり、この場合には、入力画像Ｇｉを形成するための領域（画像形成領域１２ｉ）は、画素領域１２ａと一致する。ここで、図４（ｂ），（ｃ）に示すように、プロジェクター１がスクリーンに対して垂直に設置され、スクリーンＳＣに対して傾きのない投写を行う場合には、スクリーンＳＣに表示される投写画像Ｇａ（入力画像Ｇｉ）は、画素領域１２ａと同じ矩形状となる。
【００５２】
一方、図４（ｄ），（ｅ）に示すように、プロジェクター１が、スクリーンＳＣの投写面に対して水平方向に傾くように設置され、右方（＋Ｘ方向）に向けてあおり投写を行う場合には、スクリーンＳＣに表示される投写画像Ｇａは、傾斜方向（＋Ｘ方向）に向かうほど、±Ｘ方向及び±Ｙ方向に拡大されて台形状に歪む。本実施形態では、このように＋Ｘ方向（水平方向）のあおり投写を行った場合の台形歪補正について記載する。
【００５３】
台形歪補正手段１５は、ＯＳＤ処理手段１６から入力される画像データから画素値の間引きを行い、補正を行わない場合に比べて、投写画像Ｇａが傾斜方向（＋Ｘ方向）に向かうほど縮小するような補正を施す。
【００５４】
具体的には、図５（ａ）に示すように、液晶ライトバルブ１２の画素領域１２ａに、補正を行わない投写画像Ｇａと反対向きの台形形状、即ち傾斜方向（＋ｘ方向）に向かうほど高さ（±ｙ方向の幅）が縮小する形状の画像形成領域１２ｉを設定する。
さらに、画像データから、あおり投写による拡大の程度が高い位置ほど多くの画素値を間引くことにより、この画像形成領域１２ｉ内に入力画像Ｇｉを形成する。また、補正後の投写画像Ｇａのアスペクト比が補正を行わない投写画像Ｇａと同じになるように画像形成領域１２ｉを水平方向（±ｘ方向）に縮小する。
【００５５】
また、台形歪補正手段１５は、画像形成領域１２ｉの外側の領域１２ｎに含まれる各画素１２ｐの光透過率が最小となるように画像データを補正する。
この結果、図５（ｂ）に示すように、あおり投写による入力画像Ｇｉのゆがみが補正されるとともに、領域１２ｎに対応する投写画像Ｇａ内の領域Ｇｎには光がほとんど照射されないことから、入力画像Ｇｉは、図４（ｃ）の入力画像Ｇｉと同様に矩形状でスクリーンＳＣに表示される。なお、画素値の間引きに伴う階調情報の欠落を補うために、間引きの対象となる画素に近接する画素の画素値を、間引かれる画素値に応じて補正することが望ましい。
【００５６】
次に、本実施形態のプロジェクター１の動作を図６、及び図７のフローチャートを用いて説明する。
【００５７】
［電源オンされたとき］
図６はプロジェクター１の電源がオンされたときの動作を示すフローチャートである。
図６に示すように、プロジェクター１が入力操作手段２３の電源オン操作などにより電源オンされると（ステップＳ１０１）、ステップＳ１０２に遷移する。
【００５８】
ステップＳ１０２において制御手段２０は、保存設定位置２１ａに基づく補正量で台形歪補正手段１５に台形歪補正を実行させ、ステップＳ１０３に遷移する。
【００５９】
ステップＳ１０３において制御手段２０は、補正量設定スイッチ２６の設定位置２６ａを取得し、ステップＳ１０４に遷移する。
【００６０】
ステップＳ１０４において、ステップＳ１０３において取得した、設定位置２６ａと、保存設定位置２１ａとが一致するか否かを調べる。設定位置２６ａと保存設定位置２１ａとが一致した場合（ステップＳ１０４：Ｙ）、ステップＳ１１１に遷移する。設定位置２６ａと保存設定位置２１ａとが一致しない場合（ステップＳ１０４：Ｎ）、ステップＳ１０５に遷移する。
【００６１】
ステップＳ１０５において制御手段２０は、補正量設定スイッチ２６の設定位置２６ａと、記憶手段２１に保存された保存設定位置２１ａとが異なることを報知手段２８により報知する。具体的には、制御手段２０は図８に示す確認画面Ｍ１を画像投写手段１０に投写させる。
確認画面Ｍ１には、補正量設定スイッチ位置が前回動作時の位置と異なることを示す表示が含まれている。さらに、確認画面Ｍ１には、今回の電源がオンされたときの補正量設定スイッチ２６の設定位置である現在の設定位置２６ａと、前回の動作時の補正量設定スイッチ２６の設定位置である保存設定位置２１ａを示す表示、及び現在の設定位置２６ａで台形歪補正を実行するか否かをユーザーに選択させる表示が含まれている。
なお、報知手段２８による報知は、画像投写手段１０による画像の投写に替えてＬＥＤやブザーなどによって行われてもよい。また、画像投写手段１０による画像の投写と、ＬＥＤやブザーなどによるものと、合わせて行われてもよい。報知手段２８による報知が行われた後、ステップＳ１０６に遷移する。
【００６２】
ステップＳ１０６において制御手段２０は、ステップＳ１０５において投写した確認画面Ｍ１に対し、補正量設定スイッチ２６の現在の設定位置２６ａにより台形補正を実行する操作を受け付けたか否かを調べる。設定位置２６ａにより台形補正を実行する操作を受け付けた場合（ステップＳ１０６：Ｙ）、ステップＳ１１１に遷移する。設定位置２６ａにより台形補正を実行する操作を受け付けていない場合（ステップＳ１０６：Ｎ）、ステップＳ１０７に遷移する。
【００６３】
ステップＳ１０７において制御手段２０は、補正量設定スイッチ２６の操作が検出されたか、即ち設定位置２６ａの変化を検出したか否かを調べる。設定位置２６ａの変化を検出した場合（ステップＳ１０７：Ｙ）、ステップＳ１０８に遷移する。設定位置２６ａの変化を検出していない場合（ステップＳ１０７：Ｎ）、ステップＳ１０６に遷移する。
【００６４】
ステップＳ１０８において制御手段２０は、ステップＳ１０５において投写した確認画面上の設定位置２６ａの位置表示を更新し、ステップＳ１０９に遷移する。
【００６５】
ステップＳ１０９において制御手段２０は、今回の補正量設定スイッチ２６の設定位置２６ａと、前回動作時の設定位置である保存設定位置２１ａと、が一致したか否かを調べる。設定位置２６ａと保存設定位置２１ａとが一致した場合（ステップＳ１０９：Ｙ）、ステップＳ１１０に遷移する。設定位置２６ａと保存設定位置２１ａとが一致していない場合（ステップＳ１０９：Ｎ）、ステップＳ１０６に遷移する。
【００６６】
ステップＳ１１０において制御手段２０は、ステップＳ１０５において表示した確認画面の投写を終了し、ステップＳ１１１に遷移する。
【００６７】
ステップＳ１１１において制御手段２０は、設定位置２６ａを保存設定位置２１ａに保存し、ステップＳ１１２に遷移する。
【００６８】
ステップＳ１１２において制御手段２０は、設定位置２６ａに基づく補正量で台形歪補正手段１５に台形歪補正を実行させ、ステップＳ１１３に遷移する。
【００６９】
ステップＳ１１３において制御手段２０は、画像信号入力手段１８に入力される画像信号に基づく画像を画像投写手段１０により投写させ、本動作フローを終了する。
【００７０】
［補正量設定スイッチの操作を受け付けたとき］
図７はプロジェクター１が投写中に補正量設定スイッチ２６の操作を受け付けたときの動作を示すフローチャートである。
図７に示すように、プロジェクター１が補正量設定スイッチ２６の操作を検出したとき、即ち設定位置２６ａが変化したことを検出すると（ステップＳ２０１）、ステップＳ２０２に遷移する。
【００７１】
ステップＳ２０２において制御手段２０は、設定位置２６ａを保存設定位置２１ａに保存し、ステップＳ２０３に遷移する。
【００７２】
ステップＳ２０３において制御手段２０は、設定位置２６ａに基づく補正量で台形歪補正手段１５に台形歪補正を実行させ、ステップＳ２０４に遷移する。
【００７３】
ステップＳ２０４において本動作フローを終了する。
【００７４】
以上、説明したように、本実施形態のプロジェクター１によれば、電源をオンしたとき、台形歪補正量を設定する補正量設定スイッチ２６の設定位置２６ａが、電源オンされる以前の動作時、つまり最後に使用したときの保存設定位置２１ａと異なる場合に設定位置が異なることを報知手段２８または確認画面Ｍ１によりユーザーに報知するので、プロジェクター１を電源オフしていたとき、補正量設定スイッチ２６が操作され、補正量設定スイッチ２６の設定位置２６ａを直す必要があることをユーザーに知らせるとともに、電源オフ時に操作されないように注意を促すことすることが可能となる。
【００７５】
また、補正量設定スイッチ２６における設定位置２６ａと保存設定位置２１ａの位置を示す画像が投写されるので、補正量設定スイッチ２６の設定位置２６ａを、前回使用していたときの設定位置である保存設定位置２１ａに戻す場合、画面を見ながらどの位置に移動すればよいか容易に確認することが可能となる。
また、電源がオンされたときの補正量設定スイッチ２６の設定位置２６ａ、または、保存設定位置２１ａのいずれかに基づく補正量で台形歪補正を実行するか否かをユーザーに選択させることができるので、設置場所が変更されたなど、新たに補正量を設定したい場合は、現在の補正量設定スイッチ２６の設定位置２６ａに基づく補正量で、前回動作時の状態で投写したい場合は、保存設定位置２１ａに基づく補正量で台形歪補正を実行させることが可能となる。
【００７６】
また、上記実施形態は、以下のように変更してもよい。
（変形例１）
上述した実施形態では、プロジェクター１を水平方向（±Ｘ方向）に傾けて設置して台形歪補正を実行するものとしたが、垂直方向（±Ｙ方向）に傾けて設置して台形歪補正を行うものとしてもよい。
（変形例２）
上述した実施形態では、補正量設定スイッチ２６はスライド式のスイッチを例示したが、回転ダイヤル式のなどのスイッチでもよい。
【符号の説明】
【００７７】
１…プロジェクター、１０…画像投写手段、１１…光源、１２，１２Ｒ，１２Ｇ，１２Ｂ…液晶ライトバルブ、１３…投写レンズ、１４…液晶駆動手段、１５…台形歪補正手段、１６…ＯＳＤ処理手段、１７…画像信号処理手段、１８…画像信号入力手段、２０…制御手段、２１…記憶手段、２１ａ…保存設定位置、２３…入力操作手段、２５…光源制御手段、２６…補正量設定スイッチ、２６ａ…設定位置、２８…報知手段、３０…電源端子、３１…電源部。
【図１】
2013243445.tif 000003
【図２】
2013243445.tif 000004
【図３】
2013243445.tif 000005
【図４】
2013243445.tif 000006
【図５】
2013243445.tif 000007
【図６】
2013243445.tif 000008
【図７】
2013243445.tif 000009
【図８】
2013243445.tif 000010